(57)【要約】      （修正有）【課題】足の保護を目的とする靴下において、人の肌に触れる靴下の内側に季節感が表現できるような靴下等、別の機能を付加することができる靴下を提供する。【解決手段】靴下は、表糸１により編立られる靴下の表面１０と、中糸２により編立てられる伸縮面２０と、内糸３により編立てられ、人の肌に触れる靴下の内面３０とからなる三層構造のもので、表糸１、中糸２及び内糸３の３素材で、且つ、異種類の繊維を使用して製造されるものである。靴下表面１０を構成する表糸１は、綿糸、毛糸を使い、中糸２には、伸縮性のあるＦＴＹ糸を使用し、内面３０を構成する内糸３は、季節感の出せる綿糸、麻糸又は毛糸等を用い、涼、冷、暖のイメージの春夏秋冬に即した繊維を選択することによって、季節感が出させる商品に仕上げられている。【選択図】図１
0003156544.tif 000002
【実用新案登録請求の範囲】
【請求項１】
表糸、中糸及び内糸で編成される靴下であって、表糸により編成される第１層と、この第１層より内側に、且つ、中糸により編成される第２層と、この第２層より内側に、且つ、内糸により編成される第３層からなると共に、前記内糸は季節に即した繊維から選択されることを特徴とする靴下。
【請求項２】
表糸、中糸及び内糸で編成される靴下であって、表糸により編成される第１層と、この第１層より内側に、且つ、中糸により編成される第２層と、この第２層より内側に、且つ、内糸により編成される第３層からなると共に、前記内糸はパイル編にされていることを特徴とする靴下。
【考案の詳細な説明】
【技術分野】
【０００１】
本考案は、足を保護する機能を有する靴下において、さらに別の機能を付加することができる靴下に関するものである。
【背景技術】
【０００２】
現在の靴下の製造方法の主流は、二層（二重）編成であって、表糸（外側）と裏糸（内側）を使った編成方法である。
かかる二層編成の靴下では、季節感を出すために、表糸には綿糸、麻糸、毛糸又は綿アクリル混紡糸等の単繊維を使用し、裏糸には芯にポリウレタンを側にポリエステル又はナイロンの長繊維を撚加工した伸縮性のある糸を使用し、足のサイズに柔軟に対応できるようにすることが一般的であった。
【０００３】
しかし靴下について季節感を出すためには、表糸ではなく人の肌に触れる内側の裏糸に季節感を感得できる糸を使用することが望ましい。
この場合、撚加工した伸縮性のある糸が表糸に使用されることになり、その結果、靴下の表面が見た目にも綺麗な生地に見えず、裏糸に季節感が出せる糸を使用している商品は多くなかった。
【０００４】
かかる靴下として、特許文献１には、竹繊維を主とする糸がポリウレタン弾性糸の芯糸に巻き付けられた裏糸を用いた二層編成の靴下が開示されている。
しかし、この特許文献１の靴下においては、二層編成の制約ゆえに、季節感を感得できる靴下やその他の機能を付加することができる靴下を提供することは困難であった。
【先行技術文献】
【特許文献】
【０００５】
【特許文献１】実用新案登録第３１２２４７１号公報
【考案の概要】
【考案が解決しようとする課題】
【０００６】
そこで、本考案は足の保護を目的とする靴下において、人の肌に触れる靴下の内側に季節感が表現できるような靴下等、別の機能を付加することができる靴下を提供すること目的とする。
【課題を解決するための手段】
【０００７】
本考案は、表糸、中糸及び内糸で編成される靴下であって、表糸により編成される第１層と、この第１層より内側に、且つ、中糸により編成される第２層と、この第２層より内側に、且つ、内糸により編成される第３層からなると共に、前記内糸は季節に即した繊維から選択されることを特徴とする靴下とした（請求項１に記載の考案）。
【０００８】
上記考案においては、前記内糸をパイル編にする（請求項２に記載の考案）ほか、季節感以外の機能を発揮することができる繊維を選択してもよい。
【考案の効果】
【０００９】
本考案は、人の肌に触れる靴下内側の内面が季節感を感得できる糸によって編成されているので、季節に即した靴下を提供できる等、内糸に特別な機能を持たせることができる靴下を提供することができる。
【図面の簡単な説明】
【００１０】
【図１】図１（イ）（ロ）は本考案に係る靴下の中央縦断面図及び同図のａ−ａ´矢視拡大断面図、
【図２】図２（イ）（ロ）は本考案に係る靴下の編地組織の模式的な斜視図及び同図のｂ−ｂ´矢視端面図、
【図３】図３は、本考案に係る靴下を製造するための自動編機の要部平面図、
【図４】図４（イ）（ロ）は図３の自動編機の給糸口の側面図及び平面図である。
【考案を実施するための形態】
【００１１】
本考案に係る靴下の構成例を図面に基づいて詳細に説明する。
本考案に係る靴下Ｓは、図１に示したように、表糸１、中糸２及び内糸３で編成される三層構造の靴下であって、表糸１により靴下Ｓの第１層（表面）１０が成され、中糸２により靴下Ｓの第２層（伸縮面）２０が編成され、内糸３により靴下の第３層（内面）３０が編成され、前記内糸３は季節に即した繊維から選択され、表糸１、中糸２及び内糸３の３素材で、且つ、異種類の繊維を使用して製造される。
例えば、靴下表面１０を構成する表糸１は、綿糸、毛糸を使い、中糸２には、伸縮性のあるＦＴＹ糸を使用し、内面３０を構成する内糸３は、季節感の出せる綿糸、麻糸又は毛糸等を用い、涼、冷、暖のイメージの春夏秋冬に即した繊維を選択して編成することによって、季節感が出させる商品に仕上げられている。
【００１２】
前記三層構造は、表糸１、中糸２及び内糸３によりループを連続的に編立てることにより構成されるもので、例えば図２（イ）に示した天竺編においては、同図及び図２（ロ）に示したように、表糸１のループの表目により靴下Ｓの外側表面１００が形成される。また内糸３のループの裏目により、靴下Ｓの肌側内面３００が形成される。
【００１３】
本考案に係る三層構造の編立は、天竺編に限られず、ゴム編み、パール編みでもよい。
【実施例１】
【００１４】
図１、図３及び図４に基づいて、本考案に係る靴下Ｓの編成方法を説明する。
靴下編機として、永田精機株式会社製ＫＳＣＥ−２３２の自動丸編機を使用することとし、図３では、そのニードルシリンダ及び糸の給糸口の平面が図示されている。
【００１５】
口ゴム部Ａ
表糸１として、綿１００％の３２２デニールの糸、中糸２としてＦＴＹ３０×７５の糸、内糸３として、保温性に優れた超極細繊維１５０デニールの糸を用いる。
表糸１を図３の給糸口５０に入れ、中糸２を同図の給糸口５１に入れ、内糸３を同図の給糸口５２に入れる。更に、＃９０のゴム糸をゴム挿入口（図示ぜす）に入れて、“１ＢＹ１”のゴム編みで編成を始め、巾７センチメートル、長さ４センチメートルの口ゴム部Ａを筒編する。
【００１６】
脚部Ｂ
次に、“１ＢＹ１”のゴム編みの代わりに“３ＢＹ１”のストライプ柄（３本は天竺編で、１本はスパイラル編で内糸３だけで編成）して、巾８センチメートル長さ１６メンチメートルの筒編として脚部を編成する。
【００１７】
踵部Ｃ
自動丸編機のニードルシリンダ４の半円周（１／２  Ｒ）の長さの編成位置にあるニッティング短バット針４０を用いる。
繊維の種類は、上記口ゴム部Ａ及び脚部Ｂと同様である。
糸の給糸口として、図４に示したような、給糸口５３及び同５４を設けた給糸片を用いる。
表糸１を前記給糸口５３に入れ、中糸２を前記給糸口５４に入れ、内糸３を図３の給糸口５２に入れ、天竺編みでニードルシリンダ４の半回転動作で編成する。
【００１８】
甲部Ｄ及び底部Ｅ
口ゴム部Ａの編成時と同じ給糸口で同じ糸で、甲部Ｄを“３ＢＹ１”のストライプ柄とし、底部Ｅを天竺編で巾８センチメートル、長さ１３センチメートルの筒編に編成する。
爪部Ｆ
踵部Ｃと同じ給糸口で同じ糸で、且つ、天竺編みで編成する。
【００１９】
なお、三重構造の内糸３での総パイルの編成も可能である。
また、靴下の特定の部位において、三重構造の内糸３を用いて、例えば踵部Ｃ、底部Ｅ及び爪部Ｆをパイル編としてもよい。
【００２０】
以上の本考案の靴下によれば、次のような作用効果を奏する。
（１）  内糸３には、「春」、「夏」に麻糸、レーヨン糸等を使用し、「秋」、「冬」には毛糸、フリース糸等を使用することにより、それらの繊維が肌に触れる感覚により、季節感を感じることができる靴下となっている。
（２）  従来の編成は二層構造で、２素材で編成されていたが、本考案の三重構造により、従来の糸使いにプラス１素材が使用できるため、機能性のある新製品を提供することができる。
例えば、内糸３によりパイル編みが可能となったので、履き心地のよい靴下にすることができる。
従来の編成は、表糸と裏糸だけでなされていたため、パイルにする場合、表糸がパイル部を編成していた。そのため、靴下の場合は、摩耗強度、毛玉等の問題が解消されずに、特殊糸を使用することは少なかった。
本考案の三重構造においては、内糸３に特殊糸も使用できるため、上記問題を解消させて履き心地のよい靴下にすることができる。
（３）  従来の二層構造で製造されて店頭に展示される靴下商品の素材表示において、消費者がその表示から起因される季節感は、表糸の素材によるものであって、実際に肌に触れる裏糸の素材によるものではなかった。一方、本考案の三重構造においては、素材表示と実際に肌に触れる内糸３の素材とを一致させることができる。
（４）  表糸１には、従来より使用されている綿糸、毛糸等を使用して、靴下の外観からも季節感、材質感等を出すことができる。
【産業上の利用可能性】
【００２１】
本考案の三重構造は、靴下に用いられるが、下着その他の繊維製品に用いてもよい。
【符号の説明】
【００２２】
Ｓ  靴下
１  表糸                                １０  靴下の表面
２  中糸                                ２０  伸縮面
３  内糸                                ３０  靴下の内面
４  ニードルシリンダ                    ４０  ニッティング短バット針
５０  給糸口                            ５１  給糸口
５２  給糸口                            ５３  給糸口
５４  給糸口
１００  外側表面                        ３００  肌側内面
【図１】
0003156544.tif 000003
【図２】
0003156544.tif 000004
【図３】
0003156544.tif 000005
【図４】
0003156544.tif 000006